Podtech/llm-jp-corpus-v4-ja_patent huggingface dataset:
(57)【要約】【課題】  循環流体に大気を吸引させることによって、補給する冷却流体の量を少なくすることのできるエゼクタ式真空ポンプを提供する。【解決手段】  エゼクタ１と循環通路２，５と液体圧送ポンプ３、及び、循環通路２，５に介在したタンク４とでエゼクタ式真空ポンプを構成する。エゼクタ１の出口側でタンク４の上部側壁部に循環流体をタンク４の側壁内周面の接線方向に且つ斜め上方向に噴射・噴霧するスプレーノズル１０を取り付ける。スプレーノズル１０は、エゼクタ１の出口側の循環流体をタンク４の側壁内周面乃至上壁内面の全体へ噴射・噴霧して放熱により循環流体を冷却することができる。外気吸引通路１５からタンク４内へ吸引された外気をブロワ通路１３からブロワ１４で吸引することで、スプレーノズル１０から噴射・噴霧された循環流体が蒸発気化することによって、その蒸発潜熱により循環流体を更に冷却することができる。【選択図】図１
2014156814.tif 000002
【特許請求の範囲】
【請求項１】
エゼクタの入口側に液体圧送ポンプ手段を介して循環通路でタンクと接続したものにおいて、エゼクタの出口側でタンクの上部側壁部に循環流体をタンクの側壁内周面の接線方向に且つ斜め上方向に噴射・噴霧するスプレーノズルを取り付けて、当該スプレーノズル近傍のタンク内の空気を吸引するブロワ通路を設けると共に、タンク内へ外気を吸引する外気吸引通路を設けたことを特徴とするエゼクタ式真空ポンプ。
【発明の詳細な説明】
【技術分野】
【０００１】
本発明は、エゼクタとポンプ手段を組み合わせたエゼクタ式真空ポンプに関する。エゼクタ式真空ポンプは、ポンプ手段で流体をエゼクタ内に循環させることにより、エゼクタ部で真空吸引力を生じるものであり、低圧蒸気使用装置等からの復水吸引回収装置として従来から用いられている。
【背景技術】
【０００２】
従来のエゼクタ式真空ポンプは、渦巻きポンプと、この渦巻きポンプの吐出口と吸込口を結ぶ循環通路と、循環通路の途中に配置したエゼクタ及びタンクとで構成される。
【先行技術文献】
【特許文献】
【０００３】
【特許文献１】特開平７−２５３１００号公報
【発明の概要】
【発明が解決しようとする課題】
【０００４】
上記従来のエゼクタ式真空ポンプでは、エゼクタでの吸引力を所定値に維持するために大量の冷却水を補給しなければならない問題があった。エゼクタで発生することのできる吸引力は、エゼクタを通過する液体の温度によって決まるために、特に、液体温度を下げる場合には、大量の冷却水を補給しなければならないのである。
【０００５】
本発明が解決しようとする課題は、循環流体を放熱させることによって、補給する冷却流体の量を少なくすることのできるエゼクタ式真空ポンプを得ることである。
【課題を解決するための手段】
【０００６】
本発明は、エゼクタの入口側に液体圧送ポンプ手段を介して循環通路でタンクと接続したものにおいて、エゼクタの出口側でタンクの上部側壁部に循環流体をタンクの側壁内周面の接線方向に且つ斜め上方向に噴射・噴霧するスプレーノズルを取り付けて、当該スプレーノズル近傍のタンク内の空気を吸引するブロワ通路を設けると共に、タンク内へ外気を吸引する外気吸引通路を設けたものである。
【発明の効果】
【０００７】
本発明は、エゼクタの出口側でタンクの上部側壁部に循環流体をタンクの側壁内周面の接線方向に且つ斜め上方向に噴射・噴霧するスプレーノズルを取り付けて、当該スプレーノズル近傍のタンク内の空気を吸引するブロワ通路を設けると共に、タンク内へ外気を吸引する外気吸引通路を設けたことにより、タンクの側壁内周面乃至上壁内面の全体へスプレーノズルから循環流体を噴射・噴霧して放熱により循環流体を冷却することができると共に、タンク内へ吸引された外気をブロワ通路から吸引することで、タンク内で噴射・噴霧された循環流体が蒸発気化することによって、その蒸発潜熱により循環流体を更に冷却することができる。このように、循環流体を冷却することで、補給する冷却流体の量を少なくすることができる。
【図面の簡単な説明】
【０００８】
【図１】本発明の実施の形態に係わるエゼクタ式真空ポンプの構成図である。
【図２】図１のＡ−Ａ視図である。
【発明を実施するための形態】
【０００９】
以下、本発明の実施の形態について、図１乃至図２を参照して説明する。図１において、エゼクタ１と循環通路２，５と液体圧送ポンプ３、及び、循環通路２，５に介在したタンク４とでエゼクタ式真空ポンプを構成する。
【００１０】
エゼクタ１の出口側でタンク４の上部側壁部に循環流体をタンク４の側壁内周面の接線方向に且つ斜め上方向に噴射・噴霧するスプレーノズル１０を取り付ける。スプレーノズル１０は、エゼクタ１の出口側の循環流体をタンク４の側壁内周面乃至上壁内面の全体へ噴射・噴霧して放熱により循環流体を冷却することができるものである。スプレーノズル１０近傍のタンク４内の空気を吸引するブロワ通路１３を設けて、ブロワ１４と接続すると共に、タンク４の上部にタンク４内へ外気を吸引する外気吸引通路１５を開口する。外気吸引通路１５からタンク４内へ吸引された外気をブロワ通路１３からブロワ１４で吸引することで、タンク４の側壁内周面乃至上壁内面の全体へ噴射・噴霧された循環流体が蒸発気化することによって、その蒸発潜熱により循環流体を更に冷却することができる。
【００１１】
タンク４の右側面下部には、タンク４内へ冷却水を補給する冷却水補給管６を接続する。また、エゼクタ１の吸込室１２には吸引通路９を接続する。吸引通路９の左端部を低圧蒸気使用装置等などの復水発生源と接続する。
【００１２】
液体圧送ポンプ３の吐出口からエゼクタ１へタンク４内の液体が吐出されてエゼクタ１で吸引力を発生し、吸引通路９から所定の流体、例えば、蒸気の凝縮した復水等を吸引するものである。スプレーノズル１０でエゼクタ１の出口側の循環流体をタンク４の側壁内周面乃至上壁内面の全体へ噴射・噴霧して放熱により循環流体を冷却することができる。また、外気吸引通路１５からタンク４内へ吸引された外気をブロワ通路１３からブロワ１４で吸引することで、タンク４の側壁内周面乃至上壁内面の全体へ噴射・噴霧された循環流体が蒸発気化することによって、その蒸発潜熱により循環流体を更に冷却することができる。
【産業上の利用可能性】
【００１３】
本発明は、低圧蒸気使用装置等からの復水を吸引回収するエゼクタ式真空ポンプとして利用することができる。
【符号の説明】
【００１４】
１  エゼクタ
２  循環通路
３  液体圧送ポンプ
４  タンク
５  循環通路
９  吸引通路
１０  スプレーノズル
１２  吸込室
１３  ブロワ通路
１４  ブロワ
１５  外気吸引通路
【図１】
2014156814.tif 000003
【図２】
2014156814.tif 000004
(57)【要約】【課題】  本発明は、クッションが簡単にポンチョや肌掛けといった防寒用具として使用出来るものを提供する。【解決手段】ポンチョにも肌掛けにもなる防寒具がクッションの中に折りたたまれていることを特徴とする。クッションから出した際に、ポンチョとして使用する際の頭や手を出す部分をファスナーにすることにより、ポンチョとしてだけではなく肌掛けにも使用することができることを特徴とする。また、カバー用オープンファスナーの片側（雄）をカバーにつけ、もう片側（雌）を本体の表と裏の２カ所に設けることにより、たたまれた時だけでなくひらかれた時にもカバー部分が本体に付けられ、容易に折りたたみが出来、中のものの出し入れが出来ることを特徴とする。【選択図】図１
2014156683.tif 000002
【特許請求の範囲】
【請求項１】
たたまれた時だけでなくひらかれた時にもカバー部分が本体に付けられるよう、カバー用オープンジッパー（２）の片側（雄（２−１））を本体の表と裏の２カ所に設け、雌（２−２）を袋側に設ける。
また、本体には手を出すためのジッパー（４）、頭を出すためのジッパー（５）を設ける。
本発明は以上の構成よりなるポンチョや肌掛けにもなるクッションである。
【発明の詳細な説明】
【技術分野】
【０００１】  本発明は、容易にポンチョや肌掛けの防寒具として使用することが出来るクッションに関するものである。
【背景技術】
【０００２】  従来、クッションとポンチョ、肌掛けは別のものであった。
大震災の際に一番の問題になったのが防寒具であるが、日常の生活の中で、防寒具を特別に準備しておくことは、場所の問題等から後回しになりがちである。このようなことから、日常的に使用するクッションが非常時において、ポンチョや肌掛けになるのは極めて有用である。
【先行技術文献】
【技術文献】
【０００３】
【技術文献１】
実用新案公開平６−６９２０７公開
【発明の概要】
【発明が解決しようとする課題】
【０００４】  これは「フード付き応援ポンチョ」である為、次のような欠点があった。
（イ）フード一体型の為、拡げて肌掛けとして使用することは不可能である。
本発明は、以上のような欠点をなくすために考えたものである。
【課題を解決するための手段】
【０００５】クッションカバー（１）にはオープンファスナーの片側（雄）（２−２）を設け、本体の表と裏にオープンファスナーのもう片側（雌）（２−１）を設ける。本体には手を出す為のファスナー（４）と頭を出す為のファスナー（５）を設ける。
本発明は以上の構成により簡易に防寒用のポンチョや肌掛けになるクッションである。
【発明の効果】
【０００６】（イ）本体を折りたたんだ時も開いた時もクッションカバー部分が収まるよう、カバー部にオープンファスナーの片側（雄）を、本体の表と裏にはオープンファスナーのもう一方の片側（雌）が取り付けられた構造としている。
（ロ）ポンチョとして使用する際の頭や手を出す部分は、シーツとして使用する際には閉じていられるよう、ファスナーの構造としている。
（ハ）不特定多数の人が簡単に使用出来るよう簡単な構造としている。
【図面の簡単な説明】
【０００７】
【図１】  図１は本発明の図である。（Ａ）はクッションとして使用する際の図、（Ｂ）はポンチョとして使用する際の図、（Ｃ）は肌掛けとして使用する際の表の図、（Ｄ）は折りたたむ際の図、（Ｅ）はクッションカバーと本体のファスナーの図、（Ｆ）は肌掛けとして使用する際の裏の図、（Ｅ）は使用例の図
【発明を実施するための形態】
【０００８】以下、本発明の実施の形態について説明する。
クッションカバー、カバーを閉じる為のオープンファスナー片側と、本体の表と裏に付けられたそれをうける  ２つのオープンファスナーのもう片側、ポンチョ・肌掛け部生地、手を出す為のファスナー、頭を出す為のファスナーからなる。
本発明は、以上のような構造である。
本発明をクッションとして使用する際には、クッションカバーの中に、ポンチョ・肌掛け部分の生地を折りたたんでしまい、クッションカバーのオープンファスナーと本体裏のオープンファスナーでファスナーを閉める。このクッションは普段、椅子や座布団として使用出来る。
ポンチョとして使用する際には、中に折りたたまれていた生地を取り出し、長手方向に半分に折り、頭や手が出るよう、ファスナーを開く。その際、本体表のオープンファスナーの片側でクッションカバーのファスナーと合わせ、カバーを本体に閉じた状態にすることが出来、物入れとして使用することが出来る。
肌掛けとして使用する際には、頭・手を出す為のファスナーを閉じることにより、一枚の肌掛けとして使用することが出来る。
たたむ際には、短手方向に一回、長手方向に二回折りたたみ、クッションカバーファスナーを閉じればよい簡易な構造になっている。
【符号の説明】
【０００９】  １  クッションカバー
２  クッションカバー用オープンファスナー
２−１  クッションカバーに取り付けられたオープンファスナー片側（雄）
２−２  本体に取り付けられたオープンファスナー片側（雌）
３  ポンチョ・肌掛け部分生地
４  手を出す為のファスナー
５  頭を出す為のファスナー
【図１】
2014156683.tif 000003
(57)【要約】【課題】従来のお香の構造では、お香の本体１の最上部から上方に向かってのみ煙が噴出するものであった。【解決手段】お香の本体１の内部に煙突状の空洞３を設け、お香の本体１の下部に噴出口２を設け、それらを繋げる。噴出口２は、お香の本体１の下部における任意の高さに１個〜複数設けられた放射状の空洞である。煙突状の空洞３の働きで、お香上部から下部へ煙が誘導されお香の本体１の下部に設けられた噴出口２より噴出させる事が出来る。【選択図】図１
2014156445.tif 000002
【特許請求の範囲】
【請求項１】
下部からも煙が噴出することを特徴とするお香。
【請求項２】
内部の煙突状の空洞を通った煙を下部へと誘導し、下部に煙の噴出口を１個〜複数設けたことを特徴とする請求項１記載のお香。
【発明の詳細な説明】
【技術分野】
【０００１】  この発明は、お香の形状に関する。
【背景技術】
【０００２】  従来のお香の形状は、図２に示すように、お香の最上部から上方に向かってのみ煙が噴出するものである。
【発明の概要】
【発明が解決しようとする課題】
【０００３】  しかしながら、以上の技術によれば、煙を下部から噴出させる事は出来なかった。
そこで、この発明は、今までにない内部構造により下部からも煙が噴出するお香を提供することを課題とする。
【課題を解決するための手段】
【０００４】  以上の課題を解決するために、第一発明は煙の噴出口と内部に空洞を設けたことを特徴とするお香である。
また、第二発明は下部に煙の噴出口を設け、内部の煙突状の空洞を通った煙を下部へと誘導したことを特徴とするお香である。
【発明の効果】
【０００５】  第一発明、または第二発明によれば、噴出口とお香内部に煙突状の空洞を設けたのでお香の最上部からのみではなく下部からも煙が噴出するようになる。
【図面の簡単な説明】
【０００６】
【図１】この発明の一実施形態を示す断面図である。
【図２】従来技術を示す断面図である。
【発明を実施するための形態】
【０００７】  この発明の一実施形態を、図１に示す。
お香の本体１の下部には、複数の噴出口２が設けられており煙突状の空洞３と繋がっている。また内部には、お香上部から下部へ煙を誘導するための煙突状の空洞３が設けられている。ただし、空洞は上部を貫通しない。
【０００８】「実施形態の効果」
この実施形態によれば、煙突状の空洞３の働きで、噴出口２より下部からも煙が噴出するようになる。
したがって、上部からのみではなく下部からも煙が噴出するお香が実現される。
「他の実施形態」
図１の実施形態では、噴出口２はお香の本体１の底部に複数設けられているが、他の実施形態では、噴出口２は本体１の下部における任意の高さに設けて良い。また、指向性を持って煙を噴出させたい場合、噴出口２は必ずしも複数でなくても構わない。
【符号の説明】
【０００９】１  お香の本体            ２  噴出口
３  煙突状の空洞
【図１】
2014156445.tif 000003
【図２】
2014156445.tif 000004
(57)【要約】      （修正有）【課題】電源コードと電気機器との接続状態を正常に維持することの可能な電源コード用安全具、及び、この電源コード用安全具を備えた電気機器を提供する。【解決手段】電源プラグは電源コネクタ内部で金属枠にて固定される。固定解除する場合は、てこの原理を利用しボタンを押す（引く）ことで、金属枠を電源プラグから離すことで固定解除することが出来る。【選択図】図２
2014075329.tif 000002
【特許請求の範囲】
【請求項１】
一端に電気機器本体へ接続される接続部材を備え他端にコンセントへ差し込まれる差し込みプラグを備えた電源コード、に適用される電源コード用安全具であって、電気機器本体に固定され、前記電源コードの接続部材と差し込みプラグとの間に配置されると共に、金属枠で電源プラグを固定し、ボタンを押すことで金属枠を電源プラグから離すことで固定解除する電源コード用安全器具。
【発明の詳細な説明】
【技術分野】
【０００１】本発明は、電源コード用安全具、及び電気機器に係り、特に、電気機器と電源コードとの正常な接続状態を維持可能な電源コード用安全具、及び電気機器に関する。
【背景技術】
【０００２】コンセントから電気機器へ電力を供給する場合には、電源コードによって両者が接続される。通常、電源コードと電気機器とは、電源コードの電気機器本体への直付け、または、電気機器本体に形成されたインレットへ電源コードに備えられたプラグを差し込むことにより接続される。
【先行技術文献】
【特許文献】
【特許文献１】なし
【特許文献２】なし
【非特許文献】
【非特許文献１】なし
【発明の概要】
【発明が解決しようとする課題】  電源コードと電気機器との接続状態を正常に維持することの可能な電源コード用安全具、及び、この電源コード用安全具を備えた電気機器を提供する。
【課題を解決するための手段】  上記課題を解決するために、プラグ固定型電源コードは、一端に電気機器本体へ接続される接続部材を備え、他端にコンセントへ差し込まれる差し込みプラグを備えた電源コードに適用される電源コード用安全具である。電気機器本体へ接続される接続部材側にはボタンが配置されている。接続時はスイッチプラグ固定型電源コードプラグを接続機器に差し込めば固定される。固定解除する場合は、プラグに付いているボタンを押しながら、プラグ固定型電源コードを抜くことが可能となる。
【発明の効果】  プラグ固定型電源コードを利用することで、電源コードが接続機器から抜けにくくなる。
【図面の簡単な説明】
【図１】プラグ固定型電源コード外観を示した図である。
【図２】電源コネクタ内部を示した図である。
【発明を実施するための形態】
なし
【実施例】なし
【産業上の利用可能性】データセンター内サーバー電源ケーブル、医療用電源ケーブル等、電源ケーブルが抜ける事で大きな問題が発生する産業。
【符号の説明】▲１▼固定装置が内蔵されているプラグ
▲２▼固定装置
▲３▼固定解除用ボタン
▲４▼プラグ固定型電源コードに挿す、オス側機器プラグ
▲５▼プラグ固定型電源コード断面図
▲６▼赤で示されたボタンを押すことで、青出示された金属片が、プラグから離れる断面図
【受託番号】
【図１】
2014075329.tif 000003
【図２】
2014075329.tif 000004
(57)【要約】【課題】電装用途に使用されるブラシ付モータにおいて、薄型化、軽量化、低コストが成立出来るブラシ付きコアレスモータを目的とする。【解決手段】ブラシ付モータの部品において扁平状に構成した複数個のコイルに樹脂モールド成形した片持ち支持のロータ１をブラケット７に圧入された焼結含油軸受３に挿入し、軸２の出力側から剛性のあるストッパー４を軸２に圧入してロータ１を保持する事でスラスト調整を不要とし、モータの薄型化、軽量化、低コスト化を得られるものである。【選択図】図１
2014036452.tif 000002
【特許請求の範囲】
【請求項１】
扁平状に構成した複数個のコイルを樹脂モールド成形したロータとブラケットに焼結含油軸受を備え、ストッパーを圧入したことを特徴とする扁平型ブラシ付コアレスモータ。
【請求項２】
前記ストッパーは焼結部品とし、前記焼結含油軸受と同じ油を含油する事を特徴とする請求項１に記載の扁平型ブラシ付コアレスモータ。
【発明の詳細な説明】
【技術分野】
【０００１】
本発明は、自動車等のラジエータ冷却ファンやカーエアコン用コンデンサ冷却ファン等の電装分野に使用されるモータに関する。
【背景技術】
【０００２】
近年、自動車用ファンモータは低燃費を実現する為の軽量化、限られたスペースの中での薄型化、最後に低コスト化が要求されている。従来、ファンモータはブラシ付モータが使用され、モータの厚みを薄くするため、扁平型のコアレスモータでロータを両端支持から片持ち支持を採用した構造が知られている（例えば、特許文献１参照）。
【先行技術文献】
【特許文献】
【０００３】
【特許文献１】特開昭６１−４９６４６号公報
【発明の概要】
【発明が解決しようとする課題】
【０００４】
しかしながら、前記特許文献１の構成では、片持ち支持で薄型化となるが、扁平型コアレスモータはスラスト方向のロータと磁石、ロータとブラケット間に一定のエアギャップが必要で、エアギャップを確保するためにはストップリングとストップリングの弾性変形を抑制するために何種類ものスラスト調整ワッシャを必要とした。またストップリング固定用の軸溝加工が必要とした。更に、モータの１台毎のスラスト調整方法を必要とするため、組立においても工数を必要とした。
【０００５】
本発明は上記問題点の部品点数、および工数を解決するものであり、部品構成をストップリングからストッパーを使用する事で、スラスト調整ワッシャを不要とし、低コスト化を目的とする。
【課題を解決するための手段】
【０００６】
前記従来の課題を解決するために、本発明はロータを片持ち支持とし、ブラケットに焼結含油軸受を圧入し、軸の出力側からストッパーを圧入して圧入荷重でロータを保持する。また、ストッパーは剛性があり、ストップリングのように弾性変形しないため、スラスト調整を不要とし、モータの薄型化、低コスト化の構造とした。
【０００７】
第２の発明は、第１の発明において、ストッパーは焼結部品とし、含油軸受と同じ油を含油させる事で含油軸受からの油飛び出し防止、またストッパーの錆防止の効果が得られる。
【発明の効果】
【０００８】
本発明によれば、スラスト方向をストッパーで規制し、スラスト調整ワッシャの部品削減、スラスト測定も不要となるため、モータの薄型、軽量化、低コスト化という効果が得られる。
【図面の簡単な説明】
【０００９】
【図１】本発明の実施形態を示すコアレスモータの断面図
【図２】従来例を示すコアレスモータの構造断面図
【発明を実施するための形態】
【００１０】
第１の発明は片持ち支持にする事でスラスト調整の対象となる部品点数が削減可能となり、軸にストッパーを圧入してエアギャップを部品寸法で確保する事でスラスト調整の工数を不要とし、何種類ものスラスト調整ワッシャが不要となるため軽量化、低コスト化にすることができる。
【００１１】
第２の発明は、第１の発明において、ストッパーは焼結部品とし、含油軸受と同じ油を含油させる事で含油軸受からの油飛び出し防止、またストッパーの錆防止の役割を果たす事が出来る。
以下、本発明の実施の形態について、図面を参照しながら説明する。なお、この実施の形態によって本発明が限定されるものではない。
【００１２】
（実施の形態１）
図１は、本発明の実施の形態１におけるコアレスモータの断面図を示すものである。図１において、ブラケット７に焼結含油軸受３を備え、ロータ１を焼結含油軸受３に挿入してストッパー４を圧入したモータを構成している。
【００１３】
以上のように構成された扁平型ブラシ付コアレスモータについて、以下その動作、作用を説明する。
【００１４】
まず、磁石６を装着したブラケット７にロータ１を挿入し、エアギャップの対象となる部品で硬度の低いスラスト調整ワッシャ１３、ストップリング１２を廃止にし、ブラケット側の軸端からストッパー４を圧入する事でロータ１が軸受内で保持されることになり、スラスト調整が不要となる。
【００１５】
なお、図１に記載のワッシャは焼結含油軸受３からの油飛び出し防止目的のため、スラスト調整に使用されるものではない。また、ストッパー４は硬度の高い材質がよい。
【産業上の利用可能性】
【００１６】
本発明は自動車等のラジエータ冷却ファンやカーエアコン用コンデンサ冷却ファン等の電装分野に使用される薄型化、軽量化、低コスト化を目的として有用である。
【符号の説明】
【００１７】
１  ロータ
２  軸
３  焼結含油軸受
４  ストッパー
５  ワッシャ
６  磁石
７  ブラケット
８  ヨーク
９  ブラシホルダー
１０  ブラシ
１１  整流子
１２  ストップリング
１３  スラスト調整ワッシャ
【図１】
2014036452.tif 000003
【図２】
2014036452.tif 000004
(57)【要約】【課題】  移動が容易である、大きくて深いプランターを提供する。【解決手段】  上から見たときの中央部が空洞となっている大きなプランターの中に入れ子で小さなプランターが入る構成とした。【選択図】図１
2014036585.tif 000002
【特許請求の範囲】
【請求項１】
上から見たときの中央部が空洞となっている大きなプランターの中に入れ子で小さなプランターが入る構成のプランターセット。
【発明の詳細な説明】
【技術分野】
【０００１】
入れ子になっているプランターセットに関する。
【背景技術】
【０００２】
通常、プランターは長方形又は円形が一般的であるが、その上面の全体が一面の連続した植栽スペースになっている。
【発明の概要】
【発明が解決しようとする課題】
【０００３】
大きくて深さのあるプランターは、植物を植栽した状態では重く、高齢者・子供など力の弱い者には移動が困難である。小さくて深さのあるプランターは不安定であり転倒しやすくなる。
【課題を解決するための手段】
【０００４】
上記の課題を解決するために、本発明のプランターは、上から見たときの中央部が空洞となっている大きなプランターの中に入れ子で小さなプランターが入る構成のプランターセットとした。
【発明の効果】
【０００５】
通常のプランターと比較すると植栽面積は多少小さくなるが、植栽した状態でのプランターの重量を分割することができ、力の弱いものでも移動が容易である。入れ子の段数を増やすことによって、今までなかったような大きさのプランターを使うことが可能となる。
【図面の簡単な説明】
【０００６】
【図１】本発明のプランターセットの実施例の斜視図である。
【図２】本発明のプランターーセットの実施例の立面断面図である。
【発明を実施するための形態】
【０００７】
本発明のプランターセットの実施の形態は、図１、図２のとおりである。
なお、プランターの形状は、長方形に限るものではなく、方形、円形その他の形状も可能である。
【符号の説明】
【０００８】
１    外プランター
２    内プランター
【図１】
2014036585.tif 000003
【図２】
2014036585.tif 000004
(57)【要約】【課題】通常のクワガタ飼育セットは箱型のケースに生息環境を再現して平面に設置します。その為、観賞用や観察用にクワガタ本来の生息環境をリアルに再現しようとすれば飼育ケースが大型化して設置場所に困る問題があります。【解決手段】円柱を縦半分にした形状の飼育ケースを縦に使用する事で平面設置時のケースの底面積を抑えることが出来ます。またケース背面の吊り具で壁掛けで使用すれば平面設置場所が不要となりました。そのケースの中に棲家となる木材等を縦にレイアウト（セット)する事で直立した樹木を表現して生息環境をリアルに再現する事が出来ます。【選択図】図１
2014036584.tif 000002
【特許請求の範囲】
【請求項１】
クワガタ飼育ケースとして円柱を縦半分にした形状のケースを縦に使用して平面に縦置き出来る構造。
【請求項２】
クワガタ飼育ケースとして円柱を縦半分にした形状のケースの背面の吊り具を使用して壁掛けが出来る構造。
【請求項３】
クワガタ飼育ケースとして円柱を縦半分にした形状のケース中に棲家となる木材等（本物の木、又は人工の木）を縦にセット（レイアウト）する構造。
【発明の詳細な説明】
【技術分野】
【０００１】
本発明は、クワガタ飼育セットに関するものである。
【背景技術】
【０００２】
通常のクワガタの飼育セットは、プラスチック製やガラス製の蓋付き箱型の飼育ケースを平面に設置して飼育ケースの底に飼育マット（木の粉末等）を敷き詰めてその上にクワガタの転倒防止や棲家用に木材等をセット（レイアウト）して飼育をします。最も一般的な飼育セットの状態で実用上十分です。
【先行技術文献】
【非特許文献】
【０００３】
【非特許文献１】しかし、本来クワガタの生息環境は直立した樹木の表面や洞（空洞）ですから平面的なセット（レイアウト）の飼育ケースでは環境が異なります。そこで鑑賞用や観察用にクワガタ本来の生息環境をリアルに再現しようとすれば棲家となる木材等の大型化や複雑なセット（レイアウト）によって飼育ケースが大型化します。つまり飼育環境を優先すればケース底面積が広くなり設置場所に困る問題がありました。
【発明の概要】
【発明が解決しようとする課題】
【０００４】
クワガタ本来の生息環境をリアルに再現しながらも飼育ケースの大型化を抑えて設置場所に困らない構造にする。
【課題を解決するための手段】
【０００５】
円柱を縦半分にした形状の飼育ケースを縦に使用しました。ケースの背面に吊り具を取り付けました。棲家となる木材等を縦にセットしました。
【発明の効果】
【０００６】
円柱を縦半分にした形状の飼育ケースを縦に使用する事で飼育空間を損なわずにケース底面積を抑える事が出来るので縦置きで使用する場合に平面設置場所の選定範囲が広がりました。またケース背面の吊り具で壁掛けで使用すれば平面設置場所が不要になります。また棲家となる木材等を縦にセットする事で従来より大型の物が使用可能となり、ケース内に直立する樹木を再現する事が出来ました。木材等が大型なので棲家となる洞（穴）やエサとなるゼリー用の穴の加工が容易です。これらによりクワガタ本来のリアルな生息環境を鑑賞したり観察することが出来ます。また棲家となる木材等だけで飼育が可能なので飼育マット（木の粉末等）が不要となり経済的で衛生的です。
【図面の簡単な説明】
【０００７】
【図１】円柱を縦半分にした形状の飼育ケースの中に棲家となる木材等を縦にセット（レイアウト）した図です。
【符号の説明】
【０００８】
1  前面パネル
2  背面パネル
3  上部パネル
4  底部パネル
5  棲家となる木材等（本物の木、又は人工の木）
6  木材に加工したクワガタの隠れ場所となる洞（穴）
7  木材に加工したクワガタのエサとなるゼリー用の穴
【図１】
2014036584.tif 000003
(57)【要約】【課題】  ケーキ及びパンの焼き型として、直方体、円柱、クグロフ型などが使用されているが、形状が画一化しており、多様性に乏しい。【解決手段】  果実、花と葉、城、飛行機、自動車の形を模したケーキ及びパンを焼成できる焼き型を製作する。【選択図】図１−１
2014036643.tif 000002
【特許請求の範囲】
【請求項１】
果実の形にケーキ及びパンを焼き上げる装置。
【請求項２】
花と葉の形にケーキ及びパンを焼き上げる装置。
【請求項３】
城の形にケーキ及びパンを焼き上げる装置。
【請求項４】
飛行機の形にケーキ及びパンを焼き上げる装置。
【請求項５】
自動車の形にケーキ及びパンを焼き上げる装置。
【発明の詳細な説明】
【技術分野】
【０００１】  本発明は、果実、花と葉、城、飛行機、自動車の形を模したケーキ及びパンを製造するための焼き型装置に関するものである。
【背景技術】
【０００２】  ケーキ及びパンの焼き型として、直方体、円柱、クグロフ型などが一般に使用されている。
【先行技術文献】
【特許文献】
【０００３】
【特許文献１】  特許公開平１０−５２２１３
【特許文献２】  特許公開平８−１７３０１５
【非特許文献】
【０００４】
【非特許文献１】実用新案公開平５−８８２８４
【非特許文献２】登録実用新案第３００１９０６号
【発明の概要】
【発明が解決しようとする課題】
【０００５】  ケーキ及びパンの焼き型として、直方体、円柱、クグロフ型などが使用されているが、形状が単純で多様性に乏しい。
【課題を解決するための手段】
【０００６】  果実、花と葉、城、飛行機、自動車を模した焼き型で、ケーキ及びパンを焼き上げる。
【発明の効果】
【０００７】  ケーキ及びパンの形状が多様化する。
【図面の簡単な説明】
【０００８】焼き型は、果実の形状に応じた切断線で分割される複数の部分から構成する。図は例示である。                                            （実施例１）
【図１−１】果実の焼き型  斜視図・断面図
【図１−２】果実の焼き型  平面図・底面図
【図１−３】果実の焼き型  正面図・背面図
【図１−４】果実の焼き型  右側面図・左側面図
【０００９】焼き型は、花と葉の形状に応じた切断線で分割される複数の部分から構成する。図は例示である。                                          （実施例２）【図２−１】花と葉の焼き型  斜視図
【図２−２】花と葉の焼き型  断面図
【図２−３】花と葉の焼き型  平面図
【図２−４】花と葉の焼き型  底面図
【図２−５】花と葉の焼き型  正面図
【図２−６】花と葉の焼き型  背面図
【図２−７】花と葉の焼き型  右側面図
【図２−８】花と葉の焼き型  左側面図
【００１０】焼き型は、城の形状に応じた切断線で分割される複数の部分から構成する。図は例示である。                                              （実施例３）【図３−１】城の焼き型  斜視図・断面図
【図３−２】城の焼き型  平面図・底面図
【図３−３】城の焼き型  正面図・背面図
【図３−４】城の焼き型  右側面図・左側面図
【００１１】焼き型は、飛行機の形状に応じた切断線で分割される複数の部分から構成する。図は例示である。                                          （実施例４）【図４−１】飛行機の焼き型  斜視図
【図４−２】飛行機の焼き型  断面図
【図４−３】飛行機の焼き型  平面図・底面図
【図４−４】飛行機の焼き型  正面図・背面図
【図４−５】飛行機の焼き型  右側面図・左側面図
【００１２】焼き型は、自動車の形状に応じた切断線で分割される複数の部分から構成する。図は例示である。                                          （実施例５）【図５−１】自動車の焼き型  斜視図・断面図
【図５−２】自動車の焼き型  平面図・底面図
【図５−３】自動車の焼き型  正面図・背面図
【図５−４】自動車の焼き型  右側面図・左側面図
【発明を実施するための形態】
【００１３】  果実、花と葉、城、飛行機、自動車の形を模したケーキ及びパンの焼き型を製作する。
【実施例１】
【００１４】  果実の形を模したケーキ及びパンを焼成できる焼き型を製作する。
【実施例２】
【００１５】  花と葉の形を模したケーキ及びパンを焼成できる焼き型を製作する。
【実施例３】
【００１６】  城の形を模したケーキ及びパンを焼成できる焼き型を製作する。
【実施例４】
【００１７】  飛行機の形を模したケーキ及びパンを焼成できる焼き型を製作する。
【実施例５】
【００１８】  自動車の形を模したケーキ及びパンを焼成できる焼き型を製作する。
【産業上の利用可能性】
【００１９】  ケーキ及びパンの製造に利用できる。
【図１−１】
2014036643.tif 000003
【図１−２】
2014036643.tif 000004
【図１−３】
2014036643.tif 000005
【図１−４】
2014036643.tif 000006
【図２−１】
2014036643.tif 000007
【図２−２】
2014036643.tif 000008
【図２−３】
2014036643.tif 000009
【図２−４】
2014036643.tif 000010
【図２−５】
2014036643.tif 000011
【図２−６】
2014036643.tif 000012
【図２−７】
2014036643.tif 000013
【図２−８】
2014036643.tif 000014
【図３−１】
2014036643.tif 000015
【図３−２】
2014036643.tif 000016
【図３−３】
2014036643.tif 000017
【図３−４】
2014036643.tif 000018
【図４−１】
2014036643.tif 000019
【図４−２】
2014036643.tif 000020
【図４−３】
2014036643.tif 000021
【図４−４】
2014036643.tif 000022
【図４−５】
2014036643.tif 000023
【図５−１】
2014036643.tif 000024
【図５−２】
2014036643.tif 000025
【図５−３】
2014036643.tif 000026
【図５−４】
2014036643.tif 000027
(57)【要約】【課題】  墓参マナー向上の一助として、墓地の環境衛生の改善をもたらす墓参用使い捨て線香載置器を提供する。【解決手段】  帯状の金属の薄板の長さ方向に、一定間隔で山折り部と谷折り部を交互に形成することにより、長さが一定範囲内で伸縮可能である線香載置器を構成する。長さ方向の少なくとも片方の端に、角柱形状の部材を接合することにより墓前に置く際の安定性を増加できる。金属の薄板としては、クッキング用アルミニウムホイルを用いることでき、適当な長さに切断したり、引き延ばしたりして使用可能で、全開状態に引き延ばして、線香の燃カスなどを持ち帰る際の包装材とすることも可能である。【選択図】図１
2014036865.tif 000002
【特許請求の範囲】
【請求項１】
帯状の金属の薄板の長さ方向に、一定間隔で山折り部と谷折り部を交互に形成することにより、長さが一定範囲内で伸縮可能であることを特徴とする線香載置器。
【請求項２】
長さ方向の少なくとも片方の端に、角柱形状の部材を接合してなることを特徴とする、請求項１に記載の線香載置器。
【発明の詳細な説明】
【技術分野】
【０００１】  本発明は、使い捨ての線香載置器、特に墓参などで用いるのに適した線香載置器に関するものである。
【背景技術】
【０００２】  一般的に墓参の際には、墓に常設されている香炉、または墓石上面に直接線香を手向けるが、線香が燃え尽きないうちに帰宅する、マナーの欠如が多発している。また、火気使用後の確認の任を怠り、線香の灰及び無燃焼の線香は次回の墓参時までの期間、放置されている現状であり、放置物の散乱で墓前環境を損ねている。【０００３】  また、現在は環境衛生上の理由で墓参時の供物は、墓参が済み次第持ち帰り、処分することは習慣付けられつつあるが、墓参時に生じる線香灰の処分が必須であるにも関わらず、処分対応策がなされていないのが現状である。【０００４】  このような問題に対処するものとして、特許文献１や特許文献２には、容器の上部に線香を載置する板状の部材を設け、当該板状の部材に予め設けられた貫通孔から、線香の灰や燃えカスを容器内部に落下させるようにして、灰などが周囲に飛散せず、後始末も容易にした香炉が開示されている。しかし、これらは、構造がやや複雑で、部品数が比較的多くなるという点で、改善の余地がある。
【先行技術文献】
【特許文献】
【０００５】
【特許文献１】  実開昭５２−１４４１９９号公報
【特許文献２】  実開昭６１−１９２７７９号公報
【特許文献２】
【発明の概要】
【発明が解決しようとする課題】
【０００６】  従って、墓参マナー向上の一助として、墓地の環境衛生の改善をもたらす墓参用使い捨て線香載置器を提供することにある。
【課題を解決するための手段】
【０００７】  本発明は、前記の課題に鑑み、墓前を汚さず手向けた線香を効率良く灯し、前記線香から生じる線香灰や未燃焼線香の処分方法を検討した結果なされたものである。【０００８】  即ち、本発明は、帯状の金属の薄板の長さ方向に、一定間隔で山折り部と谷折り部を交互に形成することにより、長さが一定範囲内で伸縮可能であることを特徴とする線香載置器である。【０００９】  また、本発明は、長さ方向の少なくとも片方の端に、角柱形状の部材を接合してなることを特徴とする、前記の線香載置器である。
【発明の効果】
【００１０】  本発明の線香載置器は、前記のような構成を備えていることから、保管する際や墓参に携行する際は、折り畳むことが可能で、折り畳んだ状態から適宜引き延ばしたり、必要な長さに切断したりして、その上に線香を横置きにして手向けることができる。適当な長さに引き延ばして、線香を横置きにすると、線香は山折り部のみに当接して置かれることになり、線香と線香載置器との接触部が少なく、線香の途中消えを防止し、周囲に対する伝導熱の発散を早めることができる。そして、長さ方向に両端に角柱部材を取り付けることで、墓前に載置する際の安定性を向上できる。【００１１】  また、焼香を終えた後は、本発明の線香載置器を全開状態に引き延ばし、線香灰や未燃焼線香を包んで持ち帰るための、容器として用いることができる。さらに、風が吹いている場合は、本発明の線香載置器を全壊状態に引き延ばした上で、周囲を折り曲げて立ち上げた容器を形成し、当該容器の凹部に線香を置いて、風除けとすることもできる。また、別な使用方法の一つとして、座る際に、本発明の線香載置器を全開状態として敷物とすることも想定できる。
【図面の簡単な説明】
【００１２】
【図１】  本発明の線香載置器の一例の斜視図。
【図２】  本発明の線香載置器の側面図、図２（ａ）は開いた状態、図２（ｂ）は、図２（ａ）よりも引き延ばした状態、図２（ｃ）は一部だけ開いた状態。
【発明を実施するための形態】
【００１３】  次に、本発明の線香載置器について、具体的な図に基づいて説明する。
【００１４】  本発明の線香載置器は、基本的に前記のような構成を備えていればよいものであり、両端に接合する角柱部材は、片側だけに接合することも可能で、場合によっては、不要である。また、主材料である帯状の金属の薄板としては、折り曲げ加工が可能であれば、特に限定されないが、価格や入手の容易さを考慮すると、アルミニウム製のクッキングホイルが挙げられる。
【００１５】  ただし、使い勝手を考慮すると、市販されているアルミニウム箔の中で、厚めのものを使用するが望ましい。また、銅箔なども使用できるのは、勿論である。
【００１６】  図１は、本発明の線香載置器の一例の斜視図である。図１において、１ａはアルミニウム箔製の線香載置器、１ａ、２ｂは角柱部材であり、木材や金属箔を重ねて一体化したものなどが用いられる。この上に線香を横置きにして、用いることができる。
【００１７】  図２は、本発明の線香載置器の側面図であり、図２（ａ）の１ａは、図１と同様に開いた状態の線香載置器、図２（ｂ）の１ｂは、図２（ａ）に示したよりも引き延ばした状態の線香載置器、図２（ｃ）の１ｃは、引き延ばした状態の線香載置器、図２（ｃ）の１ｄは、折り畳んだ状態の線香載置器である。ここに示したように、本発明の線香載置器は、様々な態様で使用可能であり、全開状態にすることで、別の使用方法に適用することもできるのは前述の通りである。
【００１８】  以上に説明したように、本発明によれば、墓地の環境衛生の改善をもたらす墓参用使い捨て線香載置器を提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００１９】１ａ，１ｂ，１ｃ，１ｄ・・・線香載置器
２ａ，２ｂ・・・角柱部材
【図１】
2014036865.tif 000003
【図２】
2014036865.tif 000004
(57)【要約】【課題】構造的には、蝿帳と似ているが、小間部分にビニールを貼りし、足に浮かぶボールを付け、空気窓を作り、発汗性の優れたサウナカプセルを提供する。【解決手段】親骨（１）に小間ビニール（３）を貼り、プラスチック筒（６）に紐（５）を通し、プラスチック芯に結合後（８）、受骨（２）結合する。親骨足先（１）に浮きボール（４）を付け、空気窓（７）を作くる。簡単にサウナカプセルになることが特徴とする。【選択図】図１
2014036819.tif 000002
【特許請求の範囲】
【請求項１】
・構造的には蝿帳と似ているが、小間（３）の部分をビニールにすることにより、サウナカプセルへ変身。
【請求項２】
・親骨足（１）に浮かぶボール（４）を付ける為、どの浴槽でもカプセルを浮かせての使用可能。又、置き使用も可能
【請求項３】
・空気窓（７）をある為、息苦しくなく使用可能。
【請求項３】
・収納時はワンタッチで細く（傘状）たためる為、浴場内又は、外に干し乾かす事も可能な為、衛生面でも問題ない。
【発明の詳細な説明】
【技術分野】
【０００１】  この発明は、浴槽の蒸気を利用した、簡単にサウナができるものである。
【背景技術】
【０００２】  従来のサウナの場合、浴室以外にサウナ室が必要、ミストサウナの場合、浴室天井部分に設置工事が必要であり、又置き場所が必要であった。
【先行技術文献】
【特許文献】
【０００３】
【発明の概要】
【０００４】  これは、次のような欠点があった。
従来のサウナやミストサウナの場合、浴室内外のサウナ設置工事が必要であった。
又、サウナ置き場所に困り、使用準備に時間が要する。電気、ガス、水道料金などの使用料金が発生、商品そのものが高額商品であった。
ドライサウナでは高温で湿度が低い為、肌荒れしやすい超敏感肌や肌が弱い方の使用が難しかった。
本発明は、以上のような欠点をなくすためになされたものである。
【課題を解決するための手段】
【０００５】  親骨（１）に小間（３）を貼り、筒（６）に紐（５）を通し、芯に結合後（８）、受骨（２）結合する。親骨足先（１）に浮きボール（４）を付け、空気窓（７）を作くる。
本来の発明は、以上の構成によりなるサウナカプセルである。
【発明の効果】
【０００６】  サウナカプセルは現在使用の浴槽そのまま使用でき低コストであり、家庭で誰もが簡単に使用可能。浴槽の蒸気を利用したミストサウナに近い感覚な為、通常のドライサウナとは違い、超敏感肌の方も安心して使用できる。又、ワンタッチでたためる為、面倒はなく、収納場所にも困らない。
下記、使用効果として
・発汗効果、血行促進、保温効果、リフレッシュ効果、肌、髪にうるおい、ストレス解消、デトックス効果、代謝ＵＰ、汗腺退化予防、頭皮の汚れ、冷え性予防、くすみ肌予防、「肌のキメ」を整える、クレンジング効果アップ（温熱効果により体全体が温まったことで、肌も温まり皮膚が柔らかくなるため皮溝が広がり、その中に入り込んだ汚れが落ちやすくなる。）
皮膚が温められたことでローションが浸透しやすくなり、その効果が全体的にふっくらと皮丘が盛り上がり、肌のキメがしっかり整ってみえるようになる。
【図面の簡単な説明】
【０００７】
【図１】本発明の斜め上かの図である。
【図２】本発明のサウナカプセルを閉じた横の図である。右図は完全に閉じた図である。
【発明を実施するための形態】
【０００８】  以下、本発明を実施するための形態について説明する。
親骨（１）にビニールの小間（３）を貼り、プラスチックの筒（６）に紐（５）を通し、プラスチック芯に結合後（８）、受骨（２）結合する。親骨足先（１）にプラスチック浮きボール（４）を付け、空気窓（７）を作くる。
本発明は、以上のような構造である。
これを使用するときは、紐（５）を引っ張り、サウナカプセルを広げ浴槽に浮かべる又は、置いて使用する。使用後は、芯（８）を押すとワンタッチで閉じる。
【符号の説明】
【０００９】  １  親骨
２  受骨
３  小間
４  浮きボール
５  紐
６  筒
７  空気窓
８  芯
【図１】
2014036819.tif 000003
【図２】
2014036819.tif 000004
(57)【要約】      （修正有）【課題】直にトイレ便座の蓋を上げることなく、つまみを使って蓋を持ち上げることができるトイレ便座の蓋上げ器を提供する。【解決手段】トイレ便座の蓋のヘリにピタッとくっつくようにシリコンゴムをＵ字型に成形した便座の蓋のふちにはめ込むＵ字部３に、蓋の上げ下げをするつまみの取っ手２と、着色したメッセージ付のグッズ部１とを設けた。【選択図】図１
2014036829.tif 000002
【特許請求の範囲】
【請求項１】
トイレ便座の蓋のヘリにピタッとくっつくようにシリコンゴムをＵ字型に成形した便座の蓋のふちにはめ込むＵ字部（３）を設け、Ｕ字部（３）に、つまみの取っ手（２）を設け、蓋の上げ下げをし、洗って直ぐ使用できるように、取り外しが簡単にでき、トイレの蓋の上にメッセージ付の可愛いく、きれいな色を着色したメッセージ付のグッズ部（１）を設けたことを特徴とするトイレ便座の蓋上げ器。
【発明の詳細な説明】
【技術分野】
【０００１】  本発明は、直にトイレ便座の蓋を上げることなく、つまみを使って蓋を持ち上げることができるトイレ便座の蓋上げ器に関するものである。
【背景技術】
【０００２】  従来、トイレの蓋は直に手で触れて上げ下げするものである。
【発明の概要】
【発明が解決しようとする課題】
【０００３】  そのために、次のような問題点がある。
トイレは、誰でもが使用するので清潔にしておかなくてはいけない。
直に素手でトイレの蓋に触り、不快な気持ちになることも多々ある。
本発明は以上の問題点を解決するものである。
【課題を解決するための手段】
【０００４】  上記の問題点を解決するため、本発明は、トイレ便座の蓋のヘリにピタッとくっつくようにシリコンゴムをＵ字型に成形した便座の蓋のふちにはめ込むＵ字部（３）を設け、Ｕ字部（３）に、つまみの取っ手（２）を設け、蓋の上げ下げをし、洗って直ぐ使用できるように、取り外しが簡単にでき、トイレの蓋の上にメッセージ付の可愛いく、きれいな色を着色したメッセージ付のグッズ部（１）を設ける。
以上のように構成されたトイレ便座の蓋上げ器。
【発明の効果】
【０００５】  本発明は、洗って直ぐ使用できるため、きれいで清潔なトイレを保つことができる。
メッセージを書き込んだ可愛いく、色さわやかなシリコンゴムのグッズや取っ手を取り付けたことで、トイレを使用する人が汚さず使用しなくてはと思う気づかいの気持ちになれる。
【図面の簡単な説明】
【０００６】
【図１】  本発明の斜視図である。
【図２】  本発明の使用状態を示した説明図である。
【発明を実施するための形態】
【０００７】  以下、本発明の実施の形態について説明する。
（イ）巾約１．５ｃｍ〜２ｃｍ程のシリコンゴムを利用し、Ｕ字型にして便座の蓋のヘリ    にピタッとするように取り付け、便座の蓋のふちにはめ込むＵ字部（３）を持ち上げ    下げを簡単にする取っ手（２）を設ける。
（ロ）便座の蓋の上に固定する様に花柄等の可愛いシリコン製でメッセージ付のグッズ部    （１）を設ける。
本発明は、以上のように構成されたトイレ便座の蓋上げ器である。
本発明は、シリコンゴムを利用したことで便座の蓋や蓋のヘリにシリコンゴムがピタッとくっ付き、取り外しが簡単で、可能になり、洗ってすぐ取り付けて、使用することができる。
【符号の説明】
【０００８】    １  メッセージ付のグッズ部
２  取っ手
３  便座の蓋のふちにはめ込むＵ字部
【図１】
2014036829.tif 000003
【図２】
2014036829.tif 000004
(57)【要約】【課題】  帽子を収納する際、帽子を重ねて棚に収納していると嵩張るばかりか何処に何の帽子があるのか判別しづらい。また、重ねて収納しているのでその時かぶっていくための帽子が取りづらく、収納スペースも取り、難があった。  それは帽子店でも同じ事だった。  すばやく収納出来てすばやく目当ての帽子やアクセサリーを取り出したい。  本発明はそれを解決する発明である。【解決手段】  円柱形の回転軸の周りに枝のようなローラーはさみを設け、ローラーはさみに帽子のつばや端を差し込む事でワンタッチで収納可能にした。  また、取り出す際には、はさみがローラー式であるので、ただ引き抜くことで帽子を傷めず、帽子やアクセサリーを取り出すことを可能にした事を特徴とした帽子用多目的ハンガーラック。【選択図】図１
2014036824.tif 000002
【特許請求の範囲】
【請求項１】
回転する円柱形の回転軸に、ローラーとストッパーを配したはさみを複数設け、その先端ローラーはさみ部分に帽子やアクセサリー等の小物類を差込み挟持固定収納し、使用する際にはただ固定した物を引っ張るだけで使用可能にした、帽子用多目的ハンガーラック。
【発明の詳細な説明】
【技術分野】
【０００１】  本発明は、帽子を収納する際、室内または店頭で使用する帽子のハンガーに関するものである。
【背景技術】
【０００２】  従来、多くの帽子を身に付けない時や、帽子店なので帽子を展示する際には、帽子を棚に重ねて置き並べ、その収納場所もとり、多くある帽子の中から一つだけ取り出すのが困難で面倒でもあった。
【先行技術文献】
【０００３】
【特許文献１】  特開２００９−２５６８５０号公報
【発明の概要】
【発明が解決しようとする課題】
【０００４】  多くの帽子を棚等に重ねて保管していると、何処にどの帽子があるのか判別が付きにくく、保管場所を多く取る。また、すぐさま取り出したい時に取り出せず難があった。
帽子店等でも同様であった。
本発明は、以上の問題点を解決するとともに、帽子生活をもっと気軽に快適にするためになされたものである。
【課題を解決するための手段】
【０００５】  本発明に係る帽子用多目的ハンガーラックは、幹にあたる回転軸部分と帽子をはさむための枝にあたるローラーはさみ部分を備える。
幹にあたる回転軸部分上部にフック。または回転軸下部に土台を設け、それにローラーはさみの枝を無数に配置し、多くの帽子を縦型に収納・設置できるようにした。
以上の構成による、帽子用多目的ハンガーラック。
【発明の効果】
【０００６】  本発明に係る帽子用多目的ハンガーラックにおいては、枝部分のローラーはさみに帽子のつば・または端を差込み、挟持固定し収納または展示する。
従来では不可能であった、帽子収納の繁雑さを解消し更に即座に好きな帽子やアクセサリー等を取り出す事を可能とした。
【図面の簡単な説明】
【０００７】
【図１】本発明の正面図
【図２】本発明の詳細の斜視図
【図３】本発明の詳細図
【図４】本発明の使用図
【図５】本発明の別形式図
【図６】本発明の使用図
【図７】本発明の使用図
【発明を実施するための形態】
【０００８】以下、本発明の実施の形態を説明する。
上記した課題を達成するため、本発明に係る帽子用多目的ハンガーラックは、丁度木の幹にあたるような中心回転軸、幹部１にローラー４とストッパー５を備えた枝部３を設ける。
無数の枝部に多くの帽子をぶら下げる事を可能とした帽子用多目的ハンガーラックである。
本発明は以上のような構造である。
本発明の使用方法は、
（イ）ローラー４とストッパー５の間に帽子のつばや端を差し込み固定する。（図４、図６、図７参照）
（ロ）それをフック１で収納庫やクローゼットに引っ掛け、収納する。
【符号の説明】
【０００９】１  フック
２  幹部
３  枝部
４  ローラー
５  ストッパー
【図１】
2014036824.tif 000003
【図２】
2014036824.tif 000004
【図３】
2014036824.tif 000005
【図４】
2014036824.tif 000006
【図５】
2014036824.tif 000007
【図６】
2014036824.tif 000008
【図７】
2014036824.tif 000009